(57)【要約】【課題】狭い場所で、ＭＩケーブルを設置したり取り外したりすることを容易にできるようにする。【解決手段】実施形態に係るケーブル中継器２６は、ＭＩケーブル２５のシース３７の先端に接続された絶縁スリーブ４０と、絶縁スリーブ４０に接続された気密ケース４４と、気密ケース４４の内部に固定された絶縁物製のコンタクト押さえ６０と、コンタクト押さえ６０に固定されたコンタクト３２と、気密ケース４４の内側で芯線３５とコンタクト３２とを電気的に接続する接続部材６７と、を備える。連結されたケーブル中継器２６は、気密ケース先端開口４５同士が対向して配置され、気密ケース４４同士が気密に接合され、ケーブル中継器２６のコンタクト３２同士が電気的に接続される。【選択図】図５
2020068078.tif 000002
【特許請求の範囲】
【請求項１】
導電性の芯線と前記芯線を囲むケーブル絶縁部と前記ケーブル絶縁部を囲むシースとを有して対を成し、それぞれのケーブルの先端同士を着脱可能に連結するケーブル中継器であって、
前記シースの先端で前記シースの外周および先端を囲んで前記シースとの間が気密に接続され、前記芯線が貫通する絶縁スリーブ貫通孔が形成された絶縁スリーブと、
前記絶縁スリーブの外周を囲んで先端に気密ケース先端開口が形成されて前記絶縁スリーブとの間が気密に接続された気密ケースと、
前記気密ケースの内部に固定された絶縁物製のコンタクト押さえと、
前記コンタクト押さえに固定された導電性のコンタクトと、
前記気密ケースの内側で前記芯線と前記コンタクトとを電気的に接続する導電性の接続部材と、
を備え、
連結された前記ケーブル中継器は、前記気密ケース先端開口同士が対向して配置されて前記気密ケース同士が気密に接合され、
前記コンタクト同士が電気的に接続されること、
を特徴とするケーブル中継器。
【請求項２】
前記気密ケースは、
前記絶縁スリーブの外周を囲み先端に端部カバー先端開口が形成されて前記絶縁スリーブとの間が気密に接続された端部カバーと、
前記端部カバー先端開口に気密に接続されて先端に前記気密ケース先端開口が形成された気密ケース本体と、
を有すること、を特徴とする請求項１に記載のケーブル中継器。
【請求項３】
前記気密ケースの内部に固定されて、前記コンタクト押さえを保持するステーをさらに備えること、を特徴とする請求項１または請求項２に記載のケーブル中継器。
【請求項４】
前記接続部材は、前記芯線および前記コンタクトよりも剛性が低いものであること、を特徴とする請求項１ないし請求項３のいずれか一項に記載のケーブル中継器。
【請求項５】
前記接続部材は、前記芯線に巻き付けられて前記芯線に固定されていること、を特徴とする請求項４に記載のケーブル中継器。
【請求項６】
前記接続部材は、前記芯線に接触しながら前記芯線に沿って直線的に延びて前記芯線に固定されていること、を特徴とする請求項４に記載のケーブル中継器。
【請求項７】
前記絶縁スリーブ貫通孔の方向と前記気密ケース先端開口の方向が相違していること、を特徴とする請求項１ないし請求項６のいずれか一項に記載のケーブル中継器。
【請求項８】
前記気密ケース先端開口の周囲を取り囲むようにフランジが形成され、
前記フランジには、複数の連結ボルト孔と、少なくとも一つの位置決めピン孔とが形成され、
前記ケーブル中継器が連結状態のときに、対となる前記ケーブル中継器の前記連結ボルト孔を貫通する複数の連結ボルトによって前記フランジ同士が接合されるとともに、前記位置決めピン孔に挿入された位置決めピンによって前記フランジ同士の位置決めがなされるように構成されていること、を特徴とする請求項１ないし請求項７のいずれか一項に記載のケーブル中継器。
【請求項９】
前記ケーブル中継器が連結状態のときに、対となる前記ケーブル中継器の前記気密ケース先端開口を取り囲んで配置される環状のガスケットをはさんで対となる前記ケーブル中継器が対向して配置されるように構成されていること、を特徴とする請求項１ないし請求項８のいずれか一項に記載のケーブル中継器。
【請求項１０】
請求項１ないし請求項９のいずれか一項に記載のケーブル中継器の組立方法であって、
前記コンタクトと前記接続部材とを接合するコンタクト接合ステップと、
前記気密ケースに前記コンタクト押さえを固定するコンタクト押さえ固定ステップと、
前記絶縁スリーブ貫通孔内に前記芯線を貫通させたうえで前記シースの先端と前記絶縁スリーブとを接合する絶縁スリーブ接合ステップと、
前記コンタクト接合ステップおよび前記絶縁スリーブ接合ステップの後に、前記絶縁スリーブ貫通孔内を貫通した先端側の前記芯線と前記接続部材とを接続する芯線接続ステップと、
前記コンタクト押さえ固定ステップおよび前記芯線接続ステップの後に、前記絶縁スリーブに前記気密ケースを接続する気密ケース接続ステップと、
を有することを特徴とするケーブル中継器の組立方法。
【請求項１１】
請求項１０に記載のケーブル中継器の組立方法であって、
前記コンタクト接合ステップの後で前記コンタクト押さえ固定ステップの前に、前記気密ケースに前記コンタクト押さえを仮固定するコンタクト押さえ仮固定ステップと、
前記コンタクト押さえ仮固定ステップの後に、前記気密ケース先端開口同士を互いに対向させて、前記コンタクト同士が電気的に接合する位置で前記気密ケース先端開口同士を仮接合する仮接合ステップと、
前記仮接合ステップの後に、前記気密ケース同士の相対的位置関係を決める位置決めピン孔を形成する位置決めピン孔形成ステップと、
前記位置決めピン孔形成ステップの後に、前記仮接合された気密ケース先端開口同士を分離する分離ステップと、
を有すること、を特徴とするケーブル中継器の組立方法。
【請求項１２】
放射線検出器と、
前記放射線検出器の出力信号を処理する信号処理装置と、
互いに直列に連結されて前記放射線検出器と前記信号処理装置を接続する複数のＭＩケーブルと、
前記各ＭＩケーブル間に配置され、隣接する２つのＭＩケーブル同士を接続するケーブル中継器と、
を有することを特徴とする放射線モニタリング装置。
【請求項１３】
請求項１２に記載の放射線モニタリング装置の設置方法であって、
検出器挿入穴内に、一端部に第１のケーブル中継器が接続された第１のＭＩケーブル、および前記第１のＭＩケーブルの前記第１のケーブル中継器の反対側の端部に接続された前記放射線検出器を、前記放射線検出器を先頭として挿入する第１の挿入ステップと、
前記第１の挿入ステップの後に、前記第１のケーブル中継器と、一端部に第２のケーブル中継器が接続され前記第２のケーブル中継器の反対側の端部に第３のケーブル中継器が接続された第２のＭＩケーブルとを、前記第２のケーブル中継器を介して着脱可能に連結する第１の連結ステップと、
前記第１の連結ステップの後に、前記放射線検出器ならびに前記第１および第２のＭＩケーブルを、前記放射線検出器を先頭として前記検出器挿入穴内にさらに挿入する第２の挿入ステップと、
前記第２の挿入ステップの後に、前記第３のケーブル中継器と、一端部に第４のケーブル中継器が接続され前記第４のケーブル中継器の反対側の端部に第５のケーブル中継器が接続された第３のＭＩケーブルとを、前記第４のケーブル中継器を介して着脱可能に連結する第２の連結ステップと、
を有することを特徴とする放射線モニタリング装置設置方法。
【請求項１４】
請求項１２に記載の放射線モニタリング装置を検出器挿入穴口から取り出す放射線モニタリング装置取出方法であって、
前記検出器挿入穴口から突出している第１のケーブル中継器から第１のＭＩケーブルを取り外す第１の取外しステップと、
前記第１の取外しステップの後に、前記第１のケーブル中継器に接続されている第２のＭＩケーブルの第１のＭＩケーブルが接続されていた側から遠い側に接続されている第２のケーブル中継器が前記検出器挿入穴から突出するまで引き抜く第１の引抜きステップと、
前記第１の引抜きステップの後に、前記第２のケーブル中継器から第２のＭＩケーブルを取り外す第２の取外しステップと、
前記放射線検出器を一端とし、第ｍ（ｍは２以上の正整数）のケーブル中継器を他端とする第（ｍ＋１）のＭＩケーブルの少なくとも一部が、前記検出器挿入穴口から突出するまで、第ｉの引抜きステップ（ｉは、２以上かつｍ以下の整数）および第ｉの取外しステップを繰り返した後に、前記第ｍのケーブル中継器を取り外す第ｍの取外しステップと、
前記第ｍの取外しステップの後に、前記（ｍ＋１）のＭＩケーブルを引き抜き、前記放射線検出器を取り出すステップと、
を有し、
前記第ｉの引抜きステップは、第（ｉ−１）の取外しステップの後に、第（ｉ−１）のケーブル中継器に接続される第ｉのＭＩケーブルの第（ｉ−１）のＭＩケーブルが接続されていた側から遠い側に接続される第ｉのケーブル中継器が、前記検出器挿入穴口から突出するまで引き抜くものであり、
前記第ｉの取外しステップは、前記第（ｉ−１）の引抜きステップの後に、前記第ｉのケーブル中継器から第ｉのＭＩケーブルを取り外すものであること、
を特徴とする放射線モニタリング装置取出方法。
【請求項１５】
前記絶縁スリーブと前記コンタクト押さえとが一体化して絶縁保持部材が形成されていること、を特徴とする請求項１ないし請求項９のいずれか一項に記載のケーブル中継器。
【発明の詳細な説明】
【技術分野】
【０００１】
本発明の実施形態は、ケーブル中継器およびその組立方法、ならびに放射線モニタリング装置とその設置方法および取出し方法に関する。
【背景技術】
【０００２】
一般に原子力発電プラントでは、放射性物質の放射線量を放射線モニタリング装置で計測している。放射線モニタリング装置は、放射線検出器と信号処理装置などを含む。信号処理装置は、前置増幅器、対数線量率計、表示器（モニタ）、記録計などを含む。放射線検出器は原子炉格納容器内に設置され、信号処理装置は原子炉格納容器外に設置されることが多く、放射線検出器と信号処理装置の間は、原子炉格納容器の壁を貫通するケーブルで接続されていることが多い。特に原子炉格納容器周辺に設置される機器やケーブルは、設置できる場所が狭いため、大きさに制約があるだけでなく、高温、多湿、高線量率などの厳しい環境に耐えられる必要がある。
【０００３】
これまでの放射線検出器に接続されるケーブルは、樹脂などの有機物を絶縁材などとして利用するソフト同軸ケーブルが用いられていた。
【先行技術文献】
【特許文献】
【０００４】
【特許文献１】特開平９−９３７８０号公報
【発明の概要】
【発明が解決しようとする課題】
【０００５】
福島第１原子力発電所の事故を受けて、従来の想定事故よりも過酷な事故（ＳＡ：Severe Accident）の環境下でも使用可能な放射線モニタリング装置が求められるようになっている。そのため、これまで使われてきたソフト同軸ケーブルを、耐放射線性、耐湿性、耐熱性に優れた無機絶縁（ＭＩ：Mineral Insulated）同軸ケーブル（ＭＩケーブル）に置き換える必要がある。ここで、放射線モニタリング装置に用いるケーブルにおいては、１０−１３Ａ程度の微弱な電流を扱う必要があるため、通常、２重同軸仕様の比較的太いＭＩケーブルを用いる必要がある。そのため、ここで用いられるＭＩケーブルは非常に硬く、剛性が高く、ほとんど曲げ延ばしすることができない。
【０００６】
原子力発電プラントでは、放射線モニタリング装置のために長い距離にケーブルを敷設する必要があり、また、放射線検出器のメンテナンスや新品との交換などのために、設置されていた放射線検出器を外部に取り出す必要がある。放射線モニタリング装置を設置する場所は設置スペースや作業場所が狭いため、硬く長いＭＩケーブルが接続された状態の放射線検出器を設置したり、取り出したりすることは、新たな課題が生じると想定される。また、長いＭＩケーブルは大変重くなるため、放射線管理区域で作業する作業員の数を多くすることが必要になり、被爆増加の懸念もある。
【０００７】
本発明の実施形態は、かかる課題を解決するためのものであって、狭い場所で、ＭＩケーブルを設置したり取り外したりすることを容易にでき、また、ＭＩケーブルを用いた放射線モニタリング装置を設置したり取り外したりすることを容易にできるようにすることを目的とする。
【課題を解決するための手段】
【０００８】
実施形態に係るケーブル中継器は、導電性の芯線と前記芯線を囲むケーブル絶縁部と前記ケーブル絶縁部を囲むシースとを有して対を成し、それぞれのケーブルの先端同士を着脱可能に連結するケーブル中継器であって、前記シースの先端で前記シースの外周および先端を囲んで前記シースとの間が気密に接続され、前記芯線が貫通する絶縁スリーブ貫通孔が形成された絶縁スリーブと、前記絶縁スリーブの外周を囲んで先端に気密ケース先端開口が形成されて前記絶縁スリーブとの間が気密に接続された気密ケースと、前記気密ケースの内部に固定された絶縁物製のコンタクト押さえと、前記コンタクト押さえに固定された導電性のコンタクトと、前記気密ケースの内側で前記芯線と前記コンタクトとを電気的に接続する導電性の接続部材と、を備え、連結された前記ケーブル中継器は、前記気密ケース先端開口同士が対向して配置されて前記気密ケース同士が気密に接合され、前記コンタクト同士が電気的に接続されること、を特徴とする。
【０００９】
実施形態に係るケーブル中継器組立方法は、前記ケーブル中継器の組立方法であって、前記コンタクトと前記接続部材とを接合するコンタクト接合ステップと、前記気密ケースに前記コンタクト押さえを固定するコンタクト押さえ固定ステップと、前記絶縁スリーブ貫通孔内に前記芯線を貫通させたうえで前記シースの先端と前記絶縁スリーブとを接合する絶縁スリーブ接合ステップと、前記コンタクト接合ステップおよび前記絶縁スリーブ接合ステップの後に、前記絶縁スリーブ貫通孔内を貫通した先端側の前記芯線と前記接続部材とを接続する芯線接続ステップと、前記コンタクト押さえ固定ステップおよび前記芯線接続ステップの後に、前記絶縁スリーブに前記気密ケースを接続する気密ケース接続ステップと、を有することを特徴とする。
【００１０】
実施形態に係る放射線モニタリング装置は、放射線検出器と、前記放射線検出器の出力信号を処理する信号処理装置と、互いに直列に連結されて前記放射線検出器と前記信号処理装置を接続する複数のＭＩケーブルと、前記各ＭＩケーブル間に配置され、隣接する２つのＭＩケーブル同士を接続するケーブル中継器と、を有することを特徴とする。
【００１１】
実施形態に係る放射線モニタリング装置の設置方法は、前記放射線モニタリング装置の設置方法であって、検出器挿入穴内に、一端部に第１のケーブル中継器が接続された第１のＭＩケーブル、および前記第１のケーブルの前記第１のケーブル中継器の反対側の端部に接続された前記放射線検出器を、前記放射線検出器を先頭として挿入する第１の挿入ステップと、前記第１の挿入ステップの後に、前記第１のケーブル中継器と、一端部に第２のケーブル中継器が接続され前記第２のケーブル中継器の反対側の端部に第３のケーブル中継器が接続された第２のＭＩケーブルとを、前記第２のケーブル中継器を介して着脱可能に連結する第１の連結ステップと、前記第１の連結ステップの後に、前記放射線検出器ならびに前記第１および第２のＭＩケーブルを、前記放射線検出器を先頭として前記検出器挿入穴内にさらに挿入する第２の挿入ステップと、前記第２の挿入ステップの後に、前記第３のケーブル中継器と、一端部に第４のケーブル中継器が接続され前記第４のケーブル中継器の反対側の端部に第５のケーブル中継器が接続された第３のＭＩケーブルとを、前記第４のケーブル中継器を介して着脱可能に連結する第２の連結ステップと、を有することを特徴とする。
【００１２】
実施形態に係る放射線モニタリング装置の取出し方法は、前記放射線モニタリング装置を検出器挿入穴口から取り出す放射線モニタリング装置取出方法であって、前記検出器挿入穴口から突出している第１のケーブル中継器から第１のＭＩケーブルを取り外す第１の取外しステップと、前記第１の取外しステップの後に、前記第１のケーブル中継器に接続されている第２のＭＩケーブルの第１のＭＩケーブルが接続されていた側から遠い側に接続されている第２のケーブル中継器が前記検出器挿入穴から突出するまで引き抜く第１の引抜きステップと、前記第１の引抜きステップの後に、前記第２のケーブル中継器から第２のＭＩケーブルを取り外す第２の取外しステップと、前記放射線検出器を一端とし、第ｍ（ｍは２以上の正整数）のケーブル中継器を他端とする第（ｍ＋１）のＭＩケーブルの少なくとも一部が、前記検出器挿入穴口から突出するまで、第ｉの引抜きステップ（ｉは、２以上かつｍ以下の整数）および第ｉの取外しステップを繰り返した後に、前記第ｍのケーブル中継器を取り外す第ｍの取外しステップと、前記第ｍの取外しステップの後に、前記（ｍ＋１）のＭＩケーブルを引き抜き、前記放射線検出器を取り出すステップと、を有し、前記第ｉの引抜きステップは、第（ｉ−１）の取外しステップの後に、第（ｉ−１）のケーブル中継器に接続される第ｉのＭＩケーブルの第（ｉ−１）のＭＩケーブルが接続されていた側から遠い側に接続される第ｉのケーブル中継器が、前記検出器挿入穴口から突出するまで引き抜くものであり、前記第ｉの取外しステップは、前記第（ｉ−１）の引抜きステップの後に、前記第ｉのケーブル中継器から第ｉのＭＩケーブルを取り外すものであること、を特徴とする。
【発明の効果】
【００１３】
本発明の実施形態によれば、狭い場所で、ＭＩケーブルを設置したり取り外したりすることを容易にでき、また、ＭＩケーブルを用いた放射線モニタリング装置を設置したり取り外したりすることを容易にできる。
【図面の簡単な説明】
【００１４】
【図１】第１の実施形態に係る放射線モニタリング装置を原子力発電プラントへ設置した状況を示す模式的立断面図。
【図２】図１の放射線モニタリング装置の設置状況の要部を示す断面図。
【図３】第１の実施形態に係る放射線モニタリング装置に適用されるＭＩケーブルの両端にケーブル中継器を取り付けたケーブル装置の縦断面図。
【図４】オス型ケーブル中継器とメス型のケーブル中継器とを結合した状況を示す縦断面図。
【図５】図３および図４のオス型ケーブル中継器の拡大縦断面図。
【図６】図５のＶＩ方向矢視図。
【図７】図５および図６のケーブル中継器の気密ケース先端開口側から見た斜視図。
【図８】図５のケーブル中継器の接続部材の近傍を拡大して示す拡大縦断面図。
【図９】第１の実施形態に係るケーブル中継器の組立方法全体の手順を示すフロー図。
【図１０】図９の手順におけるオス型ケーブル中継器の初期組立ステップおよびメス型ケーブル中継器の初期組立ステップの詳細を示すフロー図。
【図１１】図９の手順におけるオス型ケーブル中継器の最終組立ステップおよびメス型ケーブル中継器の最終組立ステップの詳細を示すフロー図。
【図１２】図２の放射線モニタリング装置で直角に方向を変える部分に用いられる角部ケーブル中継器を示す拡大縦断面図。
【図１３】図２の放射線モニタリング装置で、放射線検出器およびケーブル装置などを接続しながら設置する手順を模式的に示す縦断面図。
【図１４】図２の放射線モニタリング装置で、放射線検出器およびケーブル装置などを取り外す手順を模式的に示す縦断面図。
【図１５】第２の実施形態のケーブル中継器の接続部材の近傍を拡大して示す拡大縦断面図。
【図１６】第３の実施形態のケーブル中継器のオス型ケーブル中継器とメス型のケーブル中継器とを結合した状況を示す縦断面図。
【図１７】第３の実施形態のケーブル中継器のオス型ケーブル中継器とメス型のケーブル中継器とを切り離した状況を示す縦断面図。
【発明を実施するための形態】
【００１５】
以下に、本発明の実施形態について図面を参照して説明する。なお、以下に説明する実施形態により、本発明が限定されるものではなく、その要旨を逸脱しない範囲において種々の変更が可能である。
【００１６】
［第１の実施形態］
図１は、第１の実施形態に係る放射線モニタリング装置を原子力発電プラントへ設置した状況を示す模式的立断面図である。原子炉格納容器１０内は、ドライウェル１１とウェットウェル１２に仕切られている。ドライウェル１１内に原子炉圧力容器１３が設置されている。ウェットウェル１２内には圧力抑制プール１４が収容されている。
【００１７】
放射線モニタリング装置１５は、放射線検出器１６と、前置増幅器（信号処理装置）１７と放射線モニタ（信号処理装置）１８と、これらを互いに接続するケーブル装置１９とを含む。前置増幅器１７と放射線モニタ１８は原子炉格納容器１０の外側に配置され、放射線検出器１６は、原子炉格納容器壁２０を貫通する検出器挿入穴２１を通して、原子炉格納容器１０の外側から内側に挿入されて配置されている。この放射線検出器１６により、たとえば、原子力発電プラントの過酷事故時に原子炉格納容器１０内で発生した放射性ガスを計測することができる。
【００１８】
図２は、図１の放射線モニタリング装置の設置状況の要部を示す断面図である。図３は、第１の実施形態に係る放射線モニタリング装置に適用されるＭＩケーブルの両端にケーブル中継器を取り付けたケーブル装置の縦断面図である。図４は、オス型ケーブル中継器とメス型のケーブル中継器とを結合した状況を示す縦断面図である。
【００１９】
図２に示すように、ケーブル装置１９は、ＭＩケーブル２５とその両端に取り付けられたケーブル中継器２６、７４とを有する。複数のケーブル装置１９同士が、互いに隣接するケーブル装置１９のケーブル中継器２６、７４同士を連結することによって直列に連結されている。ＭＩケーブル２５は、硬く剛性が高いのでほとんど曲げ伸ばしすることができないが、複数のケーブル装置１９を、設置現場で直列に連結することにより、狭い空間内で容易に、複数のケーブル装置１９や放射線検出器１６を設置したり取り外したりすることができる。放射線検出器１６は検出器挿入穴口２１ａから検出器挿入穴２１内に挿入される。
【００２０】
図３に示すように、ＭＩケーブル２５の両端にケーブル中継器２６が取り付けられている。ケーブル中継器２６には、オス型ケーブル中継器２６ａとメス型ケーブル中継器２６ｂとがある。２本のＭＩケーブル２５それぞれに取り付けられたオス型ケーブル中継器２６ａとメス型ケーブル中継器２６ｂとを、図４に示すように結合することにより、２本のＭＩケーブル２５を互いに連結することができる。オス型ケーブル中継器２６ａとメス型ケーブル中継器２６ｂとの結合は、複数の連結ボルト３０とそれらに螺合する連結ナット３１とによる。このとき、後述するように、オス型ケーブル中継器２６ａのオス型コンタクト３２ａとメス型ケーブル中継器２６ｂのメス型コンタクト３２ｂとが互いに電気的に接続される。
【００２１】
また、放射線検出器１６の保守や取り換えなどの必要なときに、オス型ケーブル中継器２６ａとメス型ケーブル中継器２６ｂとの連結を解除して分離できるように構成されている。
【００２２】
なお、図３に示す例では、各ＭＩケーブル２５の両端にオス型ケーブル中継器２６ａとメス型ケーブル中継器２６ｂとが接続された複数のケーブル装置１９を用いることになるが、他の例として、両端にオス型ケーブル中継器２６ａが接続されたケーブル装置１９と、両端にメス型ケーブル中継器２６ｂが接続されたケーブル装置１９との２種類を交互に連結することもできる。
【００２３】
図２に示すように、互いに方向が異なるＭＩケーブル２５同士を接続する場合は、角部ケーブル中継器７４が用いられる。これについては、図１２を用いて後述する。
【００２４】
図３に示すように、ＭＩケーブル２５は、導電性の芯線３５と、芯線３５を取り囲むセラミックス製のケーブル絶縁部３６と、ケーブル絶縁部３６を囲む筒状の金属製のシース３７とを有する。
【００２５】
図５は、図３および図４のオス型ケーブル中継器の拡大縦断面図である。図６は、図５のＶＩ方向矢視図である。図７は、図５および図６のケーブル中継器の気密ケース先端開口側から見た斜視図である。図８は、図５のケーブル中継器の接続部材の近傍を拡大して示す拡大縦断面図である。
【００２６】
ここでは、オス型ケーブル中継器２６ａの構成について説明する。メス型ケーブル中継器２６ｂの詳細な説明は省略するが、オス型ケーブル中継器２６ａのオス型コンタクト３２ａとメス型ケーブル中継器２６ｂのメス型コンタクト３２ｂとが相違するほかは、メス型ケーブル中継器２６ｂの構成はオス型ケーブル中継器２６ａの構成と同様である。以下のオス型ケーブル中継器２６ａの説明においては、オス型コンタクト３２ａを単にコンタクト３２と呼ぶこともある。
【００２７】
オス型コンタクト３２ａとメス型コンタクト３２ｂとが連結されるとき、オス型コンタクト３２ａの先端はメス型コンタクト３２ｂのくぼみに挿入されて、互いに電気的に接続される。
【００２８】
ＭＩケーブル２５のシース３７の先端を囲むように、セラミックス製の絶縁スリーブ４０が取り付けられている。絶縁スリーブ４０はほぼ円柱状であり、その軸に沿って絶縁スリーブ貫通孔４１が形成されている。絶縁スリーブ４０とＭＩケーブル２５のシース３７は、気密を保持するようにろう付けされている。ＭＩケーブル２５の芯線３５は、絶縁スリーブ貫通孔４１を貫通して直線的に延びている。
【００２９】
絶縁スリーブ４０の周方向外側を囲むように円筒状の端部カバー４２が取り付けられている。端部カバー４２は、好ましくは、セラミックスとの接合性のよい金属製であって、たとえば、ＦｅにＮｉおよびＣｏを配合した特殊金属材製である。端部カバー４２の一端は、溶着（溶接、ろう付け、はんだ付けなど）により、絶縁スリーブ４０と気密に接合されている。端部カバー４２の他端（絶縁スリーブ４０から遠い側の端部）には端部カバー先端開口４３が形成されている。
【００３０】
端部カバー先端開口４３の外周を囲むように、円筒状の気密ケース（気密ケース本体）４４が形成されている。気密ケース４４は、端部カバー４２の先端部外周を取り囲んで径方向および周方向に延びる拡大部５１と、拡大部５１に接続されて端部カバー４２から遠い側に軸方向に延びる円筒状の側面部５２と、側面部５２の端部カバー４２から遠い側の端部で径方向および周方向に延びる円環状の気密ケースフランジ（フランジ）４６とを有する。
【００３１】
端部カバー４２の先端部外周と気密ケース４４の拡大部５１とは、溶着（溶接、ろう付け、はんだ付けなど）により、気密に接合されている。
【００３２】
気密ケースフランジ４６の内周側には気密ケース先端開口４５が形成されている。
【００３３】
気密ケースフランジ４６には、メス型ケーブル中継器２６ｂの気密ケースフランジ４６と対向する円環状の接合面４７が形成されている。気密ケースフランジ４６には、軸方向に貫通する複数個の連結ボルト貫通孔４８が、互いに周方向に間隔をあけて形成されている。連結ボルト貫通孔４８は連結ボルト３０の軸部が貫通可能である。気密ケースフランジ４６にはさらに、後述する位置決めピン７０（図７）が軸方向に貫通する２個の位置決めピン孔７１（図６、図７）が、周方向に互いに間隔をあけて形成されている。位置決めピン孔７１の数は、２個が好ましいが、１個でも、また、３個以上でもよい。
【００３４】
接合面４７上の連結ボルト貫通孔４８よりも径方向内側に、気密ケース先端開口４５を囲むように円環状のＯリング溝４９が形成されている。Ｏリング溝４９にはＯリング（ガスケット）５０が配置される。オス型ケーブル中継器２６ａとメス型ケーブル中継器２６ｂとが接合されるとき、両者の接合面４７はＯリング５０を介して対向し、それによって気密が保持される。Ｏリング５０は、気密ケースフランジ４６よりも柔軟な材料からなり気密シールを行うものであって、たとえば金属製であって、他のガスケットでもよい。
【００３５】
気密ケース４４の内部に下部ステー（ステー）５５が固定されている。下部ステー５５は、たとえば長方形の平板が直角に折り曲げられて、折り曲げ部を境として鉛直支持面部５６と、水平支持面部５７とが形成されている。鉛直支持面部５６は、複数の下部ステー支持ボルト５８によって、気密ケース４４の拡大部５１の内側に固定されている。
【００３６】
水平支持面部５７は水平に広がっており、水平支持面部５７の上に２個のコンタクト押さえ６０が重ねて配置され、その上に上部ステー（ステー）６１が配置されている。２個のコンタクト押さえ６０および上部ステー６１は水平に、軸方向に垂直な方向に延びている。コンタクト押さえ６０は、四角柱状で、セラミックスなどの絶縁材からなる。
【００３７】
コンタクト押さえ６０および上部ステー６１には、コンタクト押さえボルト６２が貫通する２個の貫通孔が形成され、水平支持面部５７にはコンタクト押さえボルト６２が螺合するねじ孔が形成されている。上部ステー６１の上方から上部ステー６１およびコンタクト押さえ６０の貫通孔にコンタクト押さえボルト６２の軸部を通し、水平支持面部５７のねじ孔に螺合して締め付けることにより、水平支持面部５７に２個のコンタクト押さえ６０が固定される。
【００３８】
２個のコンタクト押さえ６０にはさまれてコンタクト３２ａが配置されている。コンタクト３２ａは、導電性の円柱状のものであって、軸方向に直線的に延びている。コンタクト押さえ６０のコンタクト３２ａに接する部分に、コンタクト３２ａに沿って溝６５が形成され、コンタクト３２ａの位置が安定するようになっている。
【００３９】
接合相手のメス型ケーブル中継器２６ｂの反対側のコンタクト３２ａの端部は、導電性の接続部材６７によってＭＩケーブル２５の芯線３５と電気的に接続されている。接続部材６７は、箔や薄板などの曲げやすいものであり、少なくとも芯線３５およびコンタクト３２ａよりも剛性が低い。接続部材６７は、たとえば、Ｎｉ、Ａｕ、Ｐｔ、Ｃｕなどの金属製である。
【００４０】
コンタクト３２ａと接続部材６７との接合は、たとえば、溶着（溶接、ろう付け、はんだ付けなど）による。コンタクト３２ａと芯線３５とは、たとえば、図８に示すように、両者を重ね合わせて溶着（溶接、ろう付け、はんだ付けなど）によって接合する。
【００４１】
つぎに、図９ないし図１１に沿って、第１の実施形態に係るケーブル中継器の組立方法について説明する。図９は、第１の実施形態に係るケーブル中継器の組立方法全体の手順を示すフロー図である。図１０は、図９の手順におけるオス型ケーブル中継器の初期組立ステップＳ１０およびメス型ケーブル中継器の初期組立ステップＳ２０の詳細を示すフロー図である。図１１は、図９の手順におけるオス型ケーブル中継器の最終組立ステップＳ４０およびメス型ケーブル中継器の最終組立ステップＳ５０の詳細を示すフロー図である。
【００４２】
図９に示すように、ケーブル中継器の組立方法では、はじめに、オス型ケーブル中継器２６ａの初期組立（ステップＳ１０）およびメス型ケーブル中継器２６ｂの初期組立（ステップＳ２０）を行い、つぎに、オスメス合わせ調整（ステップＳ３０）を行う。その後、オス型ケーブル中継器２６ａの最終組立（ステップＳ４０）およびメス型ケーブル中継器２６ｂの最終組立（ステップＳ５０）を行う。
【００４３】
オス型ケーブル中継器２６ａの初期組立（ステップＳ１０）の詳細を、図１０に沿って説明する。
【００４４】
はじめに、コンタクト３２ａに接続部材６７を接続する（ステップＳ１１）。つぎに、気密ケース４４に下部ステー５５を、下部ステー支持ボルト５８により固定する（ステップＳ１２）。つぎに、下部ステー５５に、２個のコンタクト押さえ６０および上部ステー６１を、コンタクト押さえボルト６２により仮固定する（ステップＳ１３）。つぎに、２個のコンタクト押さえ６０の間にコンタクト３２ａを挟み込んで、これらを仮固定する（ステップＳ１４）。
【００４５】
コンタクト３２ａに接続部材６７を接続するステップＳ１１は、コンタクト押さえ６０でコンタクト３２ａを仮固定するステップＳ１４よりも前であれば、気密ケース４４に下部ステー５５を固定するステップＳ１２、および、下部ステー５５にコンタクト押さえ６０および上部ステー６１を仮固定するステップＳ１３よりも、前でも後でも、どちらでもよい。
【００４６】
メス型ケーブル中継器の初期組立（ステップＳ２０）は、オス型ケーブル中継器の初期組立（ステップＳ１０）とほぼ同様であるが、オス型コンタクト３２ａに代えてメス型コンタクト３２ｂが用いられる。
【００４７】
つぎに、オスメス合わせ調整（ステップＳ３０）を行う。その詳細について、図９を参照して説明する。
【００４８】
はじめに、オス型ケーブル中継器２６ａとメス型ケーブル中継器２６ｂの気密ケース４４の気密ケース先端開口４５同士、気密ケースフランジ４６の接合面４７同士を対向させて、オス型コンタクト３２ａとメス型コンタクト３２ｂの位置を調整する（ステップＳ３１）。つぎに、オス型ケーブル中継器２６ａとメス型ケーブル中継器２６ｂの気密ケース４４同士を、連結ボルト３０と連結ナット３１を用いて仮に接合する（ステップＳ３２）。
【００４９】
つぎに、オス型ケーブル中継器２６ａとメス型ケーブル中継器２６ｂの気密ケース４４の気密ケースフランジ４６を軸方向に貫通する位置決めピン孔７１を形成する（ステップＳ３３）。つぎに、連結ボルト３０と連結ナット３１をはずして、オス型ケーブル中継器２６ａとメス型ケーブル中継器２６ｂを分離する（ステップＳ３４）。
【００５０】
つぎに、オス型ケーブル中継器の最終組立（ステップＳ４０）およびメス型ケーブル中継器の最終組立（ステップＳ５０）を行う。
【００５１】
ここで、オス型ケーブル中継器の最終組立（ステップＳ４０）の詳細を、図１１に沿って説明する。
【００５２】
はじめに、コンタクト押さえボルト６２を締め付けることにより、下部ステー５５に、２個のコンタクト押さえ６０および上部ステー６１を本固定する（ステップＳ４１）。これにより、コンタクト３２ａが気密ケース４４に本固定される。つぎに、ＭＩケーブル２５に絶縁スリーブ４０を接続する（ステップＳ４２）。より具体的には、ＭＩケーブル２５のシース３７と絶縁スリーブ４０とを接続する。つぎに、接続部材６７と芯線３５とを接続する（ステップＳ４３）。つぎに、絶縁スリーブ４０に端部カバー４２を接続する（ステップＳ４４）。つぎに、端部カバー４２に気密ケース４４を接続する（ステップＳ４５）。
【００５３】
ここで、コンタクト３２ａを本固定するステップＳ４１と、ＭＩケーブル２５と絶縁スリーブ４０とを接続するステップＳ４２との順番は逆でもよい。
【００５４】
メス型ケーブル中継器の最終組立（ステップＳ５０）は、オス型ケーブル中継器の最終組立（ステップＳ４０）と同様である。
【００５５】
以上説明した手順により、オス型ケーブル中継器２６ａおよびメス型ケーブル中継器２６ｂそれぞれに別のＭＩケーブル２５が接続され、互いに着脱可能な１対のオス型ケーブル中継器２６ａとメス型ケーブル中継器２６ｂとが形成される。
【００５６】
ケーブル装置１９などを原子力発電プラントなどに設置するにあたっては、上記手順で組み立てられた１対のオス型ケーブル中継器２６ａとメス型ケーブル中継器２６ｂとを連結ボルト３０および連結ナット３１を用いて連結する。このとき、気密ケースフランジ４６の位置決めピン孔７１に位置決めピン７０（図７）を挿入することにより、オス型ケーブル中継器２６ａとメス型ケーブル中継器２６ｂとの相対位置を正確に決めることができ、オス型コンタクト３２ａとメス型コンタクト３２ｂとの電気的接続を確保することができる。
【００５７】
図１２は、図２の放射線モニタリング装置で直角に方向を変える部分に用いられる角部ケーブル中継器７４を示す拡大縦断面図である。図１２に示す角部ケーブル中継器７４は、前述のオス型ケーブル中継器２６ａの変形であって、オス型コンタクト３２ａを有しているが、オス型コンタクト３２ａをメス型コンタクト３２ｂに変更すれば、メス型の角部ケーブル中継器とすることもできる。
【００５８】
図１２に示す角部ケーブル中継器７４で、ＭＩケーブル２５に接続された絶縁スリーブ４０および端部カバー４２の構成は、図５などに示したオス型ケーブル中継器２６ａの構成と同様である。
【００５９】
角部ケーブル中継器７４では、気密ケース７５の形状がオス型ケーブル中継器２６ａの気密ケース４４の形状と相違する。図５などに示したオス型ケーブル中継器２６ａでは絶縁スリーブ貫通孔４１の方向と気密ケース先端開口４５の方向とが一致しているが、角部ケーブル中継器７４では、気密ケース先端開口４５の方向が絶縁スリーブ貫通孔４１の方向と異なる。図１２に示す角部ケーブル中継器７４では、気密ケース７５の気密ケース先端開口４５の方向と絶縁スリーブ貫通孔４１の方向とが直角をなしている。そのため、角部ケーブル中継器７４の気密ケース７５は単純な円筒形ではなく、エルボ形をなしている。
【００６０】
気密ケース７５の気密ケース先端開口４５付近のオス型コンタクト３２ａやコンタクト押さえ６０などの構成は、オス型ケーブル中継器２６ａの構成と同様である。
【００６１】
接続部材１６７は、ＭＩケーブル２５の芯線３５とオス型コンタクト３２ａとを電気的に接続するものである点で、オス型ケーブル中継器２６ａの接続部材６７と同様のものである。ただし、角部ケーブル中継器７４では芯線３５の向きとオス型コンタクト３２ａの向きが９０度異なるので、接続部材１６７は、９０度向きが異なるものを相互に接続するものとなる。
【００６２】
なお、上述の角部ケーブル中継器７４では、ＭＩケーブルの方向を直角に変える場合について説明したが、必ずしも直角に変える場合でなくても任意の角度に変える構成とすることができる。
【００６３】
図１３は、図２の放射線モニタリング装置で、放射線検出器およびケーブル装置などを接続しながら設置する手順を模式的に示す縦断面図である。ここで、（ａ）、（ｂ）、・・・、（ｆ）の順に作業を進める。
【００６４】
放射線モニタリング装置１５を原子力発電プラントに設置するにあたっては、図２に示すように、狭い空間内に放射線検出器１６やケーブル装置１９などを設置する必要がある。上述のケーブル中継器２６ａ、２６ｂ、角部ケーブル中継器７４などを用いて放射線検出器１６などを設置する手順を、図１３を参照しながら説明する。ここで、ケーブル中継器同士を連結するにあたってはオス型ケーブル中継器とメス型ケーブル中継器とを互いに連結するのが当然であるが、図１３に関する説明ではどのケーブル中継器がメス型かオス型かを区別せず、単にケーブル中継器と称する。
【００６５】
図１３に示す手順を始める前に、あらかじめ、第１のＭＩケーブル８１の一端に放射線検出器１６を接続し、他端に第１のケーブル中継器９１を接続しておく。また、第２のＭＩケーブル８２の一端に第２のケーブル中継器９２を接続し、他端に第３のケーブル中継器９３を接続しておく。また、第３のＭＩケーブル８３の一端に第４のケーブル中継器９４を接続し、他端に第５のケーブル中継器９５を接続しておく。また、第４のＭＩケーブル８４の一端に第６のケーブル中継器９６を接続し、他端に第７のケーブル中継器９７を接続しておく。
【００６６】
つぎに、図１３（ａ）に示すように、第１のＭＩケーブル８１および放射線検出器１６を、放射線検出器１６を先頭として検出器挿入穴２１内に挿入する。つぎに、図１３（ｂ）に示すように、第１のケーブル中継器９１と第２のケーブル中継器９２とを連結する。
【００６７】
つぎに、図１３（ｃ）に示すように、放射線検出器１６を先頭として、第２のＭＩケーブル８２を検出器挿入穴２１内にさらに押し進める。つぎに、図１３（ｄ）に示すように、第３のケーブル中継器９３と第４のケーブル中継器９４とを連結する。
【００６８】
つぎに、図１３（ｅ）に示すように、放射線検出器１６を先頭として、第３のＭＩケーブル８３を検出器挿入穴２１内にさらに押し進める。その結果、放射線検出器１６は所定の設置位置に到達し、第１〜第３のＭＩケーブル８１、８２、８３なども所定の設置位置に到達する。このとき、第１〜第３のＭＩケーブル８１、８２、８３は一直線上に直列に並んで連結されている。
【００６９】
つぎに、図１３（ｆ）に示すように、第５のケーブル中継器９５と第６のケーブル中継器９６とを連結する。ここで、第６のケーブル中継器９６は、前述の角部ケーブル中継器７４に相当するものであって、第１〜第３のＭＩケーブル８１、８２、８３の方向と第４のＭＩケーブル８４の方向とは直交している。
【００７０】
図１４は、図２の放射線モニタリング装置で、放射線検出器およびケーブル装置などを取り外す手順を模式的に示す縦断面図である。この場合の手順は、図１３に示した設置の手順の逆になり、図１４の（ｇ）、（ｈ）、・・・、（ｌ）の順に作業を進める。
【００７１】
ここでは、説明の都合上、図１４の（ｇ）に示すはじめの設置状態で、放射線検出器１６から遠い順に、第１のＭＩケーブル１０１、第２のＭＩケーブル１０２、第３のＭＩケーブル１０３、第４のＭＩケーブル１０４が互いに直列に接続されていて、第４のＭＩケーブル１０４が放射線検出器１６に接続されているものとする。また、互いに連結されるケーブル中継器の対に対して、第１のケーブル中継器１１１、第２のケーブル中継器１１２、第３のケーブル中継器１１３のように呼ぶ。
【００７２】
第１のＭＩケーブル１０１と第２のＭＩケーブル１０２が第１のケーブル中継器１１１によって連結され、第２のＭＩケーブル１０２と第３のＭＩケーブル１０３が第２のケーブル中継器１１２によって連結され、第３のＭＩケーブル１０３と第４のＭＩケーブル１０４が第３のケーブル中継器１１３によって連結されている。
【００７３】
図１４（ｇ）に示す状態では、第１のＭＩケーブル１０１および第１のケーブル中継器１１１は、検出器挿入穴口２１ａの外側にあり、第３のＭＩケーブル１０３、第４のＭＩケーブル１０４、放射線検出器１６は検出器挿入穴２１内にある。第２のＭＩケーブル１０２は、一部が検出器挿入穴２１内にあり、他の部分が検出器挿入穴口２１ａの外側に突出している。この状態で、第１のケーブル中継器１１１を切り離して第１のＭＩケーブル１０１を取り外し、図１４（ｈ）の状態に移行する。
【００７４】
つぎに、第２のケーブル中継器１１２が検出器挿入穴口２１ａの外側に出るまで、第２のＭＩケーブル１０２を引き出し、図１４（ｉ）の状態に移行する。この状態で、第２のケーブル中継器１１２を切り離して第２のＭＩケーブル１０２を取り外し、図１４（ｊ）の状態に移行する。
【００７５】
つぎに、第３のケーブル中継器１１３が検出器挿入穴口２１ａの外側に出るまで、第３のＭＩケーブル１０３を引き出し、図１４（ｋ）の状態に移行する。この状態で、第３のケーブル中継器１１３を切り離して第３のＭＩケーブル１０３を取り外し、図１４（ｌ）の状態に移行する。
【００７６】
その後、第４のＭＩケーブル１０４とともに放射線検出器１６を検出器挿入穴２１から外側に取り出すことができる。
【００７７】
以上説明したように、狭い設置場所であっても、複数のケーブル中継器同士を現場で連結しながら複数のＭＩケーブルを連結し設置することができる。また、個々のＭＩケーブルが比較的短くなるので、比較的軽く、運搬や取り扱いが容易になる。また、ケーブル中継器が密閉構造であることから、過酷事故などの場合の高温、多湿、高線量率などの劣悪な環境にも耐えられる。
【００７８】
［第２の実施形態］
図１５は、第２の実施形態のケーブル中継器の接続部材の近傍を拡大して示す拡大縦断面図である。第２の実施形態は第１の実施形態の変形であって、コンタクト３２と芯線３５とが接続部材２６７によって電気的に接続されている。接続部材２６７は、第１の実施形態の接続部材６７と同様に箔や薄板などの曲げやすいものである。接続部材２６７は芯線３５に巻き付けられている。その他の構成は第１の実施形態と同様である。
【００７９】
第２の実施形態によれば、第１の実施形態に比べて接続部材２６７の長さを充分に長くすることができ、ケーブル中継器の組立時の作業性がよくなる。
【００８０】
［第３の実施形態］
図１６は、第３の実施形態のケーブル中継器のオス型ケーブル中継器とメス型のケーブル中継器とを結合した状況を示す縦断面図である。図１７は、第３の実施形態のケーブル中継器のオス型ケーブル中継器とメス型のケーブル中継器とを切り離した状況を示す縦断面図である。
【００８１】
この第３の実施形態は第１の実施形態の変形であって、第１の実施形態の絶縁スリーブ４０とコンタクト押さえ６０とを一体化して、絶縁保持部材３４０ａ、３４０ｂを形成している。オス型ケーブル中継器２６ａの絶縁保持部材３４０ａとメス型ケーブル中継器２６ｂの絶縁保持部材３４０ｂとが嵌め合い構造をなし、これにより、第１の実施形態の位置決めピン７０と位置決めピン孔７１の機能も兼ね備えている。
【００８２】
［他の実施形態］
上記実施形態の説明では、１本のＭＩケーブル２５が１本の芯線３５を有するものとしたが、１本のＭＩケーブル２５が、互いに絶縁されて平行に延びる複数本の芯線３５を有する場合もある。そのような場合は、ケーブル中継器のコンタクト３２の数を芯線３５の数に合わせ、複数のコンタクト３２が互いに絶縁された状態で平行に取り付けられるようにすればよい。
【００８３】
上記実施形態の説明では、ＭＩケーブル２５は、１本の芯線３５と、その周りのケーブル絶縁部３６とシース３７とを有するものとした。ＭＩケーブル２５は、シールド性を高めるために、ケーブル絶縁部とシースの組を多重構造としてもよい。
【００８４】
上記第１および第２の実施形態の説明では、端部カバー４２と気密ケース（気密ケース本体）４４、７５とが別個の部品であるとした。他の例として、端部カバー４２と気密ケース本体４４、７５とを一体形成したもの全体を気密ケースとしてもよい。その場合は、図１１に示す最終組み立てステップＳ４０、Ｓ５０それぞれにおいて、絶縁スリーブ４０に端部カバー４２を接続するステップＳ４４と、端部カバー４２に気密ケース本体４４を接続するステップＳ４５は、合わせて一つのステップとなる。すなわち、絶縁スリーブ４０に、端部カバー４２および気密ケース本体４４が一体化された気密ケースを接続する。
【００８５】
上記第１および第２の実施形態におけるケーブル中継器の組立方法では、オス型ケーブル中継器の最終組み立てステップＳ４０およびメス型ケーブル中継器の最終組み立てステップＳ５０の前にオスメス合せ調整ステップＳ３０を行う。他の例として、オスメス合せ調整ステップＳ３０を省略することも可能である。その場合は、オス型ケーブル中継器２６ａの組み立てとメス型ケーブル中継器２６ｂの組み立てを別々に行うことができる。ただし、オス型ケーブル中継器２６ａとメス型ケーブル中継器２６ｂとを連結したときにオス型コンタクト３２ａとメス型コンタクト３２ｂが確実に接続されるように、正確な位置合わせが必要である。
【００８６】
上記第１および第２の実施形態の説明で、上部ステー、下部ステーなどの言葉を用いたが、これは説明の便宜のためと組み立て時のやりやすさを考慮して表現したものであって、上方、下方、水平などの方向は、適宜変更してもよい。
【００８７】
以上、本発明のいくつかの実施形態について説明したが、これらの実施形態は、例として提示したものであり、発明の範囲を限定することは意図していない。これら新規な実施形態はその他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１０…原子炉格納容器、  １１…ドライウェル、  １２…ウェットウェル、  １３…原子炉圧力容器、  １４…圧力抑制プール、  １５…放射線モニタリング装置、  １６…放射線検出器、  １７…前置増幅器（信号処理装置）、  １８…放射線モニタ（信号処理装置）、  １９…ケーブル装置、  ２０…原子炉格納容器壁、  ２１…検出器挿入穴、  ２１ａ…検出器挿入穴口、  ２５…ＭＩケーブル、  ２６…ケーブル中継器、  ２６ａ…オス型ケーブル中継器、  ２６ｂ…メス型ケーブル中継器、  ３０…連結ボルト、  ３１…連結ナット、  ３２…コンタクト、  ３２ａ…オス型コンタクト、  ３２ｂ…メス型コンタクト、  ３５…芯線、  ３６…ケーブル絶縁部、  ３７…シース、  ４０…絶縁スリーブ、  ４１…絶縁スリーブ貫通孔、  ４２…端部カバー（気密ケース）、  ４３…端部カバー先端開口、  ４４…気密ケース（気密ケース本体）、  ４５…気密ケース先端開口、  ４６…気密ケースフランジ（フランジ）、  ４７…接合面、  ４８…連結ボルト貫通孔、  ４９…Ｏリング溝、  ５０…Ｏリング（ガスケット）、  ５１…拡大部、  ５２…側面部、  ５５…下部ステー（ステー）、  ５６…鉛直支持面部、  ５７…水平支持面部、  ５８…下部ステー支持ボルト、  ６０…コンタクト押さえ、  ６１…上部ステー（ステー）、  ６２…コンタクト押さえボルト、  ６５…溝、  ６７…接続部材、  ７０…位置決めピン、  ７１…位置決めピン孔、  ７４…角部ケーブル中継器、  ７５…気密ケース（気密ケース本体）、  ８１…第１のＭＩケーブル、  ８２…第２のＭＩケーブル、  ８３…第３のＭＩケーブル、  ８４…第４のＭＩケーブル、  ９１…第１のケーブル中継器、  ９２…第２のケーブル中継器、  ９３…第３のケーブル中継器、  ９４…第４のケーブル中継器、  ９５…第５のケーブル中継器、  ９６…第６のケーブル中継器、  ９７…第７のケーブル中継器、１０１…第１のＭＩケーブル、  １０２…第２のＭＩケーブル、  １０３…第３のＭＩケーブル、  １０４…第４のＭＩケーブル、  １１１…第１のケーブル中継器、  １１２…第２のケーブル中継器、  １１３…第３のケーブル中継器、  １６７…接続部材、  ２６７…接続部材、  ３４０ａ…絶縁保持部材、  ３４０ｂ…絶縁保持部材
【図１】
2020068078.tif 000003
【図２】
2020068078.tif 000004
【図３】
2020068078.tif 000005
【図４】
2020068078.tif 000006
【図５】
2020068078.tif 000007
【図６】
2020068078.tif 000008
【図７】
2020068078.tif 000009
【図８】
2020068078.tif 000010
【図９】
2020068078.tif 000011
【図１０】
2020068078.tif 000012
【図１１】
2020068078.tif 000013
【図１２】
2020068078.tif 000014
【図１３】
2020068078.tif 000015
【図１４】
2020068078.tif 000016
【図１５】
2020068078.tif 000017
【図１６】
2020068078.tif 000018
【図１７】
2020068078.tif 000019